(57)【要約】      （修正有）【課題】実用性が高く携帯通信端末機の操作性を低下させることのない携帯通信端末機収納具を提供する。【解決手段】携帯通信端末機Ｓの表面Ｓａと裏面Ｓｂとを表面覆部１１，裏面覆部１２で覆う見開き式の収納具本体１を備えている。収納具本体１または収納具本体１に取付けられる本体付属物２に携帯通信端末機Ｓの裏面Ｓｂに吸着される吸盤３を固定した。吸盤３は、小型のものが多数個格子状に並列されている。【選択図】図１
0003190581.tif 000002
【実用新案登録請求の範囲】
【請求項１】
携帯通信端末機の表面と裏面とを覆う見開き式の収納具本体を備えた携帯通信端末機用収納具において、収納具本体または収納具本体に取付けられる本体付属物に携帯通信端末機の裏面に吸着される吸盤を固定したことを特徴とする携帯通信端末機用収納具。
【請求項２】
請求項１の携帯通信端末機用収納具において、吸盤は小型のものが多数個並列されていることを特徴とする携帯通信端末機用収納具。
【請求項３】
請求項１または２の携帯通信端末機用収納具において、吸盤が固定された本体付属物は収納具本体に対して着脱可能であることを特徴とする携帯通信端末機用収納具。
【請求項４】
請求項１〜３のいずれかの携帯通信端末機用収納具において、吸盤が固定された本体付属物はカメラ機能を備えた携帯通信端末機の撮影レンズを遮らず開放する形状であることを特徴とする携帯通信端末機用収納具。
【請求項５】
請求項１〜４のいずれかの携帯通信端末機用収納具において、吸盤は下端縁に携帯通信端末機の落下を阻止するストッパが設けられていることを特徴とする携帯通信端末機用収納具。
【考案の詳細な説明】
【技術分野】
【０００１】
本考案は、携帯電話，スマートフォン，タブレット等の携帯通信端末機を収納携帯するための携帯通信端末機用収納具に係る技術分野に属する。
【背景技術】
【０００２】
最近、携帯通信端末機がタッチパネル式の表示部を備えるようになってきている。このため、携帯通信端末機の表示部を保護して収納携帯することのできる携帯通信端末機用収納具が必要とされている。
【０００３】
従来、携帯通信端末機用収納具としては、例えば、特許文献１に記載のものが知られている。
【０００４】
特許文献１には、携帯通信端末機の表面と裏面とを覆う見開き式の収納具本体に対して、携帯通信端末機を面ファスナで着脱可能にした携帯通信端末機用収納具が記載されている。
【０００５】
特許文献１に係る携帯通信端末機用収納具は、収納具本体で携帯通信端末機の表示部を覆って保護するとともに、面ファスナの着脱機能で収納具本体に対して携帯通信端末機を簡単に着脱することができるようにするものである。
【先行技術文献】
【特許文献】
【０００６】
【特許文献１】特開２００２−３２９号公報
【考案の概要】
【考案が解決しようとする課題】
【０００７】
特許文献１に係る携帯通信端末機用収納具では、面ファスナの接着半面を携帯通信端末機に取付けるという面倒な作業が必要であるため、実用性が低いという問題点がある。また、携帯通信端末機に取付けられた面ファスナの接着半面が携帯通信端末機を手で掴んで操作する際の障害物になってしまうため、携帯通信端末機の操作性が低下してしまうという問題点がある。
【０００８】
本考案は、このような問題点を考慮してなされたもので、実用性が高く携帯通信端末機の操作性を低下させることのない携帯通信端末機用収納具を提供することを課題とする。
【課題を解決するための手段】
【０００９】
前述の課題を解決するため、本考案に係る携帯通信端末機用収納具は、実用新案登録請求の範囲の各請求項に記載の手段を採用する。
【００１０】
即ち、請求項１では、携帯通信端末機の表面と裏面とを覆う見開き式の収納具本体を備えた携帯通信端末機用収納具において、収納具本体または収納具本体に取付けられる本体付属物に携帯通信端末機の裏面に吸着される吸盤を固定したことを特徴とする。
【００１１】
この手段では、収納具本体に対して携帯通信端末機を吸盤で着脱可能にすることで、携帯通信端末機への面ファスナの接着半面のような付加物の取付けが不要になる。
【００１２】
また、請求項２では、請求項１の携帯通信端末機用収納具において、吸盤は小型のものが多数個並列されていることを特徴とする。
【００１３】
この手段では、吸盤が小型のものが多数個並列された構造とされることで、ある程度の面に均等な吸着力を形成することができるようになる。
【００１４】
また、請求項３では、請求項１または２の携帯通信端末機用収納具において、吸盤が固定された本体付属物は収納具本体に対して着脱可能であることを特徴とする。
【００１５】
この手段では、吸盤が固定された本体付属物は収納具本体に対して着脱可能であることで、実質的に吸盤を交換することができるようになる。
【００１６】
また、請求項４では、請求項１〜３のいずれかの携帯通信端末機用収納具において、吸盤が固定された本体付属物はカメラ機能を備えた携帯通信端末機の撮影レンズを遮らず開放する形状であることを特徴とする。
【００１７】
この手段では、携帯通信端末機の撮影レンズが吸盤が固定された本体付属物によって遮られないことで、携帯通信端末機を吸盤に吸着させた状態でカメラの撮影を行うことができる。
【００１８】
請求項１〜４のいずれかの携帯通信端末機用収納具において、吸盤は下端縁に携帯通信端末機の落下を阻止するストッパが設けられていることを特徴とする。
【００１９】
この手段では、吸盤の下端縁に携帯通信端末機の落下を阻止するストッパが設けられることで、携帯通信端末機の不測の脱落が防止される。
【考案の効果】
【００２０】
本考案に係る携帯通信端末機用収納具は、収納具本体に対して携帯通信端末機を吸盤で着脱可能にすることで、携帯通信端末機への面ファスナの接着半面のような付加物の取付けが不要になるため、実用性が高く携帯通信端末機の操作性が低下することがない効果がある。
【００２１】
さらに、請求項２として、吸盤が小型のものが多数個並列された構造とされることで、ある程度の面に均等な吸着力を形成することができるようになるため、携帯通信端末機の吸着保持力が高くなる効果がある。
【００２２】
さらに、請求項３として、吸盤が固定された本体付属物は収納具本体に対して着脱可能であることで、実質的に吸盤を交換することができるようになるため、携帯通信端末機に適応した吸着力や装飾性をもった吸盤を選択することができるようになる効果がある。
【００２３】
さらに、請求項４として、携帯通信端末機の撮影レンズが吸盤が固定された本体付属物によって遮られないことで、携帯通信端末機を吸盤に吸着させた状態でカメラの撮影を行うことができるため、携帯通信端末機のカメラの撮影を素早く行うことができるようになる効果がある。
【００２４】
さらに、請求項５として、吸盤の下端縁に携帯通信端末機の落下を阻止するストッパが設けられることで、携帯通信端末機の不測の脱落が防止されるため、携帯通信端末機の保護機能が高くなる効果がある。
【図面の簡単な説明】
【００２５】
【図１】本考案に係る携帯通信端末機用収納具を実施するための形態の第１例の斜視図である。
【図２】図１の収納途中状態図である。
【図３】図１の収納完成状態図である。
【図４】図３の状態からの使用例を示す背面図である。
【図５】本考案に係る携帯通信端末機用収納具を実施するための形態の第２例の斜視図である。
【図６】本考案に係る携帯通信端末機用収納具を実施するための形態の第３例の斜視図（部分拡大図を含む）である。
【図７】図６の収納完成状態図である。
【考案を実施するための形態】
【００２６】
以下、本考案に係る携帯通信端末機用収納具を実施するための形態を図面に基づいて説明する。
【００２７】
図１〜図４は、本考案に係る携帯通信端末機用収納具を実施するための形態の第１例を示すものである。
【００２８】
第１例では、スマートフォンからなる携帯通信端末機Ｓに好適なものを示してある。
【００２９】
第１例は、図１に示すように、収納具本体１，本体付属物２，吸盤３で構成されている。
【００３０】
収納具本体１は、薄板形の携帯通信端末機Ｓの表面Ｓａの全面を覆う表面覆部１１と板状携帯通信端末機Ｓの裏面Ｓｂの全面を覆う裏面覆部１２とがシート状材料，板状材料等で一体的に形成され２つ折りに折畳まれる見開き式に形成されている。表面覆部１１，裏面覆部１２の携帯通信端末機Ｓに対面する面（内側面）には、カード類を差込み収納することのできるポケット１３が設けられている。
【００３１】
本体付属物２は、見開き式の収納具本体１の中綴のような格好のシート材からなるもので、一端部が収納具本体１の表面覆部１１，裏面覆部１２の間に沿って縫着，接着等の手段で固定され他端部側が自由状態になっている。この本体付属物２は、縦方向の長さが携帯通信端末機Ｓの縦長よりも短い形状に形成され、カメラ機能を備えた携帯通信端末機Ｓの裏面Ｓｂに設けられている撮影レンズＳｃを遮らず開放するようになっている（図４参照）。
【００３２】
吸盤３は、平板状の基盤３１に小型の多数個の丸皿形の吸盤本体３２が格子状に並列されている。この吸盤３は、ゴム材，合成樹脂材によって基盤３１，吸盤本体３２が一体的に成形されている。基盤３１は、本体付属物２に貼着されている。
【００３３】
第１例によると、吸盤３に携帯通信端末機Ｓの裏面Ｓｂを押付けることにより、吸盤３の吸盤本体３２を押圧して弾性変形させ携帯通信端末機Ｓの裏面Ｓｂを吸着させることができる。この結果、図２に示すように、携帯通信端末機Ｓが吸盤３，本体付属物２を介して収納具本体１に装着されることになる。このとき、吸盤３の吸盤本体３２が小型のものが多数個並列された構造とされることで、ある程度の面に均等な吸着力を形成することができるようになるため、携帯通信端末機Ｓの吸着保持力が高くなる。
【００３４】
そして、図３に示すように、収納具本体１の表面覆部１１，裏面覆部１２を折畳むことによって、洋服のポケット等に携帯されても、収納具本体１で携帯通信端末機Ｓの表示部Ｓｄを含む全体を覆って保護することができる。
【００３５】
なお、収納具本体１を見開くように展開してから携帯通信端末機Ｓの裏面Ｓｂを吸盤３からき剥がすことで、携帯通信端末機Ｓを収納具本体１から簡単に離脱させることができる。
【００３６】
従って、携帯通信端末機Ｓに特許文献１に記載の面ファスナの接着半部よな付加物を取付けることが不要になる。この結果、面倒な作業が不要になって実用性が高くなるとともに、携帯通信端末機Ｓを手で掴んで操作する際の障害物がないことから携帯通信端末機Ｓの操作性が低下することもない。
【００３７】
さらに、第１例では、図４に示すように、収納具本体１の表面覆部１１，裏面覆部１２を背中合わせに折畳むことで、本体付属物２と携帯通信端末機Ｓとが収納具本体１から完全に露出させることができる。この状態では、携帯通信端末機Ｓの撮影レンズＳｃが本体付属物２によって遮られなず、携帯通信端末機Ｓを吸盤３に吸着させた状態でカメラの撮影を行うことができる。従って、携帯通信端末機Ｓのカメラの撮影を素早く行うことができる。また、この携帯通信端末機Ｓのカメラの撮影の際に、背中合わせに折畳んだ収納具本体１の表面覆部１１，裏面覆部１２を手で掴むことで、携帯通信端末機Ｓを安定させいわゆる撮影ブレを防止することができる。
【００３８】
図５は、本考案に係る携帯通信端末機用収納具を実施するための形態の第２例を示すものである。
【００３９】
第２例は、収納具本体１と本体付属物２とにホック４を取付けて、収納具本体１に対して本体付属物２を着脱可能に構成している。
【００４０】
第２例によると、実質的に吸盤３を交換することができるようになるため、携帯通信端末機Ｓに適応した吸着力や装飾性（吸盤本体の形状や並列形態）をもった吸盤３を選択することができる。
【００４１】
なお、第２例の変形例としては、ホック４をファスナ，バインダ等とすることが考えられる。
【００４２】
図６，図７は、本考案に係る携帯通信端末機用収納具を実施するための形態の第３例を示すものである。
【００４３】
第３例は、吸盤３の基盤３１の下端縁に携帯通信端末機Ｓの落下を阻止するストッパ３３が設けられた構成としている。
【００４４】
吸盤３に設けられたストッパ３３は、基盤３１からの突出高さＨを携帯通信端末機Ｓによって圧縮された際の吸盤本体３２の基盤３１からの突出高さよりも高く設定されている。
【００４５】
第３例によると、携帯通信端末機Ｓの不測の脱落が防止されるため、携帯通信端末機Ｓの保護機能が高くなる。
【００４６】
以上、図示した各例の外に、吸盤３を収納具本体１に固定することも可能である。この場合、携帯通信端末機Ｓの撮影レンズＳｃを開放するために収納具本体１に窓孔を開口することが考えられる。
【００４７】
さらに、収納具本体１をブックカバー，財布，手帳等として構成することも可能である。
【００４８】
さらに、吸盤３の吸盤本体３２について、大きさの異なるものを組合わせることも可能である。
【産業上の利用可能性】
【００４９】
本考案に係る携帯通信端末機用収納具は、超小型の携帯電話や大型のタブレットからなる携帯通信端末機の収納に適用することも可能である。
【符号の説明】
【００５０】
１            収納具本体
１１          表面覆部
１２          裏面覆部
２            本体付属物
３            吸盤
３１          基盤
３２          吸盤本体
３３          ストッパ
Ｓ            携帯通信端末機
Ｓａ          表面
Ｓｂ          裏面
Ｓｃ          撮影レンズ
【図１】
0003190581.tif 000003
【図２】
0003190581.tif 000004
【図３】
0003190581.tif 000005
【図４】
0003190581.tif 000006
【図５】
0003190581.tif 000007
【図６】
0003190581.tif 000008
【図７】
0003190581.tif 000009